(57)【特許請求の範囲】
【請求項１】
水栓金具の本体部の後端部から突設した雄ねじ筒部にワッシャを被嵌し、該雄ねじ筒部を取付け部に設けた取付孔に挿通して、雄ねじ筒部に締め付けナットを螺着することでワッシャを介して本体部の後端部を取付け部に取付ける水栓金具の取付け構造において、
ワッシャに本体側回り止め部と、取付け部側回り止め部を形成し、本体部の後端部に本体側被回り止め部を形成し、取付け部に取付け部側被回り止め部を形成し、本体側回り止め部を本体側被回り止め部に嵌め込むと共に、取付け部側回り止め部を取付け部側被回り止め部に嵌め込んでワッシャを介して水栓金具を取付け部に対して取付けることを特徴とする水栓金具の取付け構造。
【請求項２】
ワッシャの片面に本体側回り止め部を構成する軸部を突設すると共に他の片面に取付け部側回り止め部を構成する突部を突設し、本体部の後端部に本体側被回り止め部となる回り止め孔を形成し、取付け部に設けた取付孔の縁部に取付け部側被回り止め部となる切欠き溝部を形成し、
ワッシャと本体部の後端部との間に第１のパッキンを介在し、該第１のパッキンに設けた孔に軸部を挿通して軸部の先端部を回り止め孔に嵌め込み、ワッシャと取付け部との間に第２のパッキンを介在し、該第２のパッキンの一部を介して突部を切欠き溝部に嵌め込んで成ることを特徴とする請求項１記載の水栓金具の取付け構造。 
【発明の詳細な説明】
【技術分野】
【０００１】
本発明は、洗面化粧台のボールや壁などの取付け部に水栓金具を取付けるための技術に関するものである。
【背景技術】
【０００２】
従来から、洗面化粧台のボールや壁などの取付け部に水栓金具を取付けるに当っては、例えば、特許文献１のような取付けが知られている。
【０００３】
この特許文献１に示された従来例は、取付け部に設けた取付孔に外側から排水管の先端部に設けた雄ねじ管を挿入して室内側に突出させ、該室内側に突出した雄ねじ管に水栓金具の後端部に設けた雌ねじ部を螺合させることで取付けている。
【０００４】
このように雄ねじ管と雌ねじ部との螺合により取付けであるため、従来にあっては、水栓金具を回転させようとする外力が加わると、上記螺合が緩んで水栓金具が回転するおそれがあった。
【０００５】
また、水栓金具の取付けとして、水栓金具の本体部の後端部から突設した雄ねじ筒部にワッシャを被嵌し、該雄ねじ筒部を取付け部に設けた取付孔に挿通して、雄ねじ筒部に締め付けナットを螺着することでワッシャを介して本体部の後端部を取付け部に取付けることも行われている。この従来例においても、前述の従来例と同様、水栓金具を回転させようとする外力が加わると、上記螺合が緩んで水栓金具が回転するおそれがあった。
【特許文献１】実公平８−２２０３号公報
【発明の開示】
【発明が解決しようとする課題】
【０００６】
本発明は上記の従来の問題点に鑑みて発明したものであって、水栓金具を回転させる外力が作用しても、簡単な構成で水栓金具が回転しないように取付けることができる水栓金具の取付け構造を提供することを課題とするものである。
【課題を解決するための手段】
【０００７】
上記課題を解決するために本発明に係る水栓金具の取付け構造は、水栓金具１の本体部２の後端部から突設した雄ねじ筒部３にワッシャ４を被嵌し、該雄ねじ筒部３を取付け部５に設けた取付孔６に挿通して、雄ねじ筒部３に締め付けナット１４を螺着することでワッシャ４を介して本体部２の後端部を取付け部５に取付ける水栓金具１の取付け構造において、ワッシャ４に本体側回り止め部７と、取付け部側回り止め部８を形成し、本体部２の後端部に本体側被回り止め部９を形成し、取付け部５に取付け部側被回り止め部１０を形成し、本体側回り止め部７を本体側被回り止め部９に嵌め込むと共に、取付け部側回り止め部８を取付け部側被回り止め部１０に嵌め込んでワッシャ４を介して水栓金具１を取付け部５に対して取付けることを特徴とするものである。
【０００８】
このように取付け部側回り止め部８を取付け部側被回り止め部１０に嵌め込むことで、ワッシャ４が取付け部５に対して回転しないように取付けられ、本体側回り止め部７を本体側被回り止め部９に嵌め込むことで、水栓金具１とワッシャ４、ワッシャ４と取付け部５の取付孔６との位置合わせができると共に、ワッシャ４が水栓金具１の本体部２に対して回転しないように簡単且つ正確に取付けられることになり、これにより、水栓金具１に回転方向の外力が作用しても取付け部５に対して水栓金具１が回転しないように取付けられることになる。
【０００９】
また、ワッシャ４の片面に本体側回り止め部７を構成する軸部７ａを突設すると共に他の片面に取付け部側回り止め部８を構成する突部８ａを突設し、本体部２の後端部に本体側被回り止め部９となる回り止め孔９ａを形成し、取付け部５に設けた取付孔６の縁部に取付け部側被回り止め部１０となる切欠き溝部１０ａを形成し、ワッシャ４と本体部２の後端部との間に第１のパッキン１１を介在し、該第１のパッキン１１に設けた孔１２に軸部７ａを挿通して軸部７ａの先端部を回り止め孔９ａに嵌め込み、ワッシャ４と取付け部５との間に第２のパッキン１３を介在し、該第２のパッキン１３の一部を介して突部８ａを切欠き溝部１０ａに嵌め込むことが好ましい。
【００１０】
このような構成とすることで、第１のパッキン１１、第２のパッキン１３により水密的に水栓金具１が取付けられるのはもちろん、ボールや壁のような取付け部５に設けた取付孔６の縁部に取付け部側被回り止め部１０となる切欠き溝部１０ａを形成し、第２のパッキン１３の一部を介して突部８ａを切欠き溝部１０ａに嵌め込むので、突部８ａと切欠き溝部１０ａとに寸法誤差があっても、第２のパッキン１３の一部が切欠き溝部１０ａと突部８ａとの間の隙間を埋めてワッシャ４が取付け部５に対して回転しないように水密的に取付けることができる。
【発明の効果】
【００１１】
本発明は、上記のようにワッシャに本体側回り止め部と、取付け部側回り止め部を形成し、本体部の後端部に本体側被回り止め部を形成し、取付け部に取付け部側被回り止め部を形成し、本体側回り止め部を本体側被回り止め部に嵌め込むと共に、取付け部側回り止め部を取付け部側被回り止め部に嵌め込という簡単な構成で、水栓金具を取付け部に対して外力が作用しても回転しないように位置合わせして取付けることができる。
【発明を実施するための最良の形態】
【００１２】
以下、本発明を添付図面に示す実施形態に基いて説明する。
【００１３】
以下の実施形態では水栓金具１を取付けるための取付け部５が図８に示すような洗面化粧台Ａのボール５ａの場合を示してある。
【００１４】
水栓金具１は、図１、図４に示すように、主体を構成する本体部２に混合水栓機構のような水栓機構部１５を組み込み、更にカバー１６を被嵌すると共に水栓機構部１５にレバー１７を取付けることで構成してある。
【００１５】
本体部２の後端部には後方に向けて雄ねじ筒部３が一体に突設してある。雄ねじ筒部３には給水ホース、給湯ホース、混合水供給ホース等のホース１９が挿入されて水栓機構部１５に接続してある。また、本体部２の後端部の雄ねじ筒部３の突出基部の外周にはフランジ部２１が設けてあり、該フランジ部２１に複数（実施形態では２個）の回り止め孔９ａが形成してあり、本実施形態ではこの回り止め孔９ａが本体側被回り止め部９を構成してある。
【００１６】
図５にはワッシャ４が示してある。ワッシャ４の片面（前面）には複数（実施形態では２個の）軸部７ａが突設してあり、この軸部７ａが本体側回り止め部７を構成しており、また、ワッシャ４の他の片面（後面）には突部８ａが突設してあり、この突部８ａが取付け部側回り止め部８を構成している。
【００１７】
取付け部５であるボール５ａには後部に図１に示すように上方に向けて立ち上がり部１８が突設してあり、該立ち上がり部１８に図２、図３、図６に示すように前後に貫通する取付孔６が設けてある。
【００１８】
取付孔６の孔縁部の一部を切欠いて正面視の形状がワッシャ４に設けた突部８ａの背面視の形状とほぼ同じ形状の切欠き溝部１０ａが形成してある。
【００１９】
水栓金具１を取付け部５であるボール５ａに取付けるには次のようにして行う。
【００２０】
まず、給水ホース、給湯ホース、混合水供給ホース等のホース１９を束ね、第１のパッキン１１、ワッシャ４、第２のパッキン１３の順に通し、該第１のパッキン１１、ワッシャ４、第２のパッキン１３をそれぞれ水栓機構部１５を組み込んだ本体部２の後端部の雄ねじ筒部３に被嵌する。
【００２１】
ここで、第１のパッキン１１には軸部７ａに対応した複数の孔１２が設けてあり、ワッシャ４の片面に突設した軸部７ａを孔１２に挿通して軸部７ａの先端部を本体部２のフランジ部２１に設けた回り止め孔９ａに嵌め込んで位置合わせして第１パッキン１３を介してワッシャ４が本体部２に対して回転しないようにする。
【００２２】
次に、図３のように束ねたホース１９を立ち上がり部１８に設けた取付孔６に前方より挿通して立ち上がり部１８の背方に導出し、更に、上記のように第１のパッキン１１、ワッシャ４、第２のパッキン１３が被嵌された雄ねじ筒部３を図２のようにボール５ａの立ち上がり部１８に設けた取付孔６に前方より挿通し、更に、束ねたホース１９に背面側パッキン２２、締め付けナット１４を通し、取付孔６から後方向に突出した雄ねじ筒部３の突出先端部に背面側パッキン２２を被嵌し、更に、雄ねじ筒部３に締め付けナット１４を螺合して締め付けることで、水栓機構部１５を組み込んだ本体部２を立ち上がり部１８の前面に突出するように取付ける。
【００２３】
この場合、ワッシャ４と取付け部５との間に第２のパッキン１３が介在され、第２のパッキン１３の一部を介して突部８ａが切欠き溝部１０ａに位置合して嵌め込まれ、ワッシャ４がボール５ａの立ち上がり部１８に対して回転しないようにしている。また、突部８ａと切欠き溝部１０ａとに寸法誤差があっても、第２のパッキン１３の一部といっしょに嵌め込むので、寸法誤差を吸収し、確実に回転止めができると共に、切欠き溝部１０ａを設けた取付孔６部分における水密性を確保するようになっている。
【００２４】
このように、水栓機構部１５を組み込んだ本体部２を立ち上がり部１８の前面から突出するように取付けた後に、水栓機構部１５を組み込んだ本体部２に、カバー１６を被嵌すると共に水栓機構部１５にレバー１７を取付けて図１のようにする。
【００２５】
水栓機構部１５で混合された複数のホース１９のうち給水ホースは水道配管を接続し、給湯ホースは給湯装置からの給水管を接続する。また、混合水供給ホースは立ち上がり部１８の前面側に突出して取付けた吐水部２０の後端部（立ち上がり部１８の背面側に突出している）に接続するものであり、レバー１７の操作で吐水部２０から湯水を吐水したり、止水したりする。
【００２６】
レバー１７は正面視で、前後方向の回動、左右方向の回動ができるようになっており、止水、吐水、湯量の調整、湯水の混合割合を調整して湯温調整ができるようになっている。
【００２７】
上記のようなレバー１７の操作をおこなうことで、水栓金具１に外力が作用しても、本発明においては、本体側回り止め部７である軸部７ａと本体側被回り止め部９である回り止め孔９ａとを嵌め込むと共に、取付け部側回り止め部８である突部８ａを取付け部側被回り止め部１０である切欠き溝部１０ａに嵌め込んでワッシャ４を介して水栓金具１を取付け部５に対して取付けるので、水栓金具１が取付け部５に対して回転することがない。
【００２８】
上記実施形態では本体側回り止め部７を軸部７ａで構成し、本体側被回り止め部９を回り止め孔９ａで構成し、取付け部側回り止め部８を突部８ａで構成し、取付け部側被回り止め部１０を切欠き溝部１０ａで構成したが、必ずしも軸部７ａ、回り止め孔９ａ、突部８ａ、切欠き溝部１０ａにのみ限定されるものではなく、他の回り止めのための嵌合、係合手段であればよい。
【００２９】
また、添付図面に示す実施形態においては、水栓金具１を取付けるための取付け部５が洗面化粧台Ａのボール５ａの例を示したが、これにのみ限定されず、取付け部５として壁、カウンター、シンク、浴槽等水栓金具１が取付けられるものであれば、なんでもよい。
【図面の簡単な説明】
【００３０】
【図１】本発明の断面図である。
【図２】同上の本体部の取付け部への取付けを示す断面図である。
【図３】同上の分解断面図である。
【図４】同上のカバー、レバーを取付ける前の分解斜視図である。
【図５】同上に用いるワッシャーを示し、（ａ）は正面図であり、（ｂ）は背面図であり、（ｃ）は上面図であり、（ｄ）は側面図であり、（ｅ）は正面側から見た斜視図であり、（ｆ）は背面側から見た斜視図である。
【図６】同上の切欠き溝部を設けた取付孔部分の斜視図である。
【００３１】
【図７】同上の本体部を示し、（ａ）は斜視図であり、（ｂ）は背面図である。
【図８】本発明の水栓金具を取付けた洗面化粧台を示す斜視図である。
【符号の説明】
【００３２】
１  水栓金具
２  本体部
３  雄ねじ筒部
４  ワッシャ
５  取付け部
６  取付孔
７  本体側回り止め部
７ａ  軸部
８  取付け部側回り止め部
８ａ  突部
９  本体側被回り止め部
９ａ  回り止め孔
１０  取付け部側被回り止め部
１０ａ  切欠き溝部
１１  第１のパッキン
１２  孔
１３  第２のパッキン
１４  締め付けナット
【図１】
0004893605.tif 000002
【図２】
0004893605.tif 000003
【図３】
0004893605.tif 000004
【図４】
0004893605.tif 000005
【図５】
0004893605.tif 000006
【図６】
0004893605.tif 000007
【図７】
0004893605.tif 000008
【図８】
0004893605.tif 000009